【手続補正書】
【提出日】平成21年8月7日(2009.8.7)
【手続補正１】
【補正対象書類名】特許請求の範囲
【補正対象項目名】全文
【補正方法】変更
【補正の内容】
【特許請求の範囲】
【請求項１】
映像データを配信するサーバと、サーバにより配信された映像データをクライアント端末のウインドウに表示させる映像配信システムであって、
前記クライアント端末は、
前記サーバから映像データを受信する受信手段と、
前記ウインドウの大きさの変更指示を受け付け、ウインドウの大きさを変更するウインドウサイズ変更手段と、
前記受信手段により受信した映像データのサイズ変更処理を、前記クライアント端末で行う余力の有無を判定する判定手段と、
前記判定手段により余力があると判定された場合に、前記変更指示で変更されたウインドウの大きさに表示されるように、前記受信した映像データのサイズ変更処理をする第１の変更手段と、
前記判定手段により余力がないと判定された場合に、前記変更指示に応じて変更された前記ウインドウの大きさを示す前記表示サイズ情報を前記サーバに通知する通知手段と、
サイズ変更処理された映像データをウインドウに表示させる表示制御手段とを有し、
前記サーバは、
前記通知手段により通知された前記表示サイズ情報に基づいて、前記クライアント端末に配信する映像データのサイズ変更を行って前記クライアント端末に送信する第２の変更手段を有し、
前記表示制御手段は、前記第１の変更手段、もしくは、前記第２の変更手段によりサイズ変更が行われた映像データをウインドウに表示させることを特徴とする映像配信システム。
【請求項２】
前記通知手段は、前記クライアント端末が前記サーバの制御権を有している場合に、前記表示サイズ情報を前記サーバに通知することを特徴とする請求項１に記載の映像配信システム。
【請求項３】
前記判定手段は、前記ウインドウのサイズおよび前記受信手段により受信した映像データの解像度を用いて前記サイズ変更処理の負荷を算出し、該算出の結果を閾値と比較して閾値より小さい場合に、前記クライアント端末で前記サイズ変更処理を行う余力があると判定することを特徴とする請求項１に記載の映像配信システム。
【請求項４】
前記判定手段は、前記ウインドウサイズ変更手段によりウインドウの大きさを変更する前後でのフレームレートを比較し、該比較の結果、等しい場合に、前記クライアント端末で前記サイズ変更処理を行う余力があると判定することを特徴とする請求項１に記載の映像配信システム。
【請求項５】
サーバにより配信された映像データをウインドウに表示させるクライアント端末であって、
前記サーバから映像データを受信する受信手段と、
前記ウインドウの大きさの変更指示を受け付け、ウインドウの大きさを変更するウインドウサイズ変更手段と、
前記クライアント端末の動作モードを設定する設定手段と、
前記設定手段により設定された動作モードと、前記変更指示で変更された前記ウインドウの大きさに表示されるように映像データの解像度を変更する処理を前記クライアント端末において行うか前記サーバにおいて行うかとを対応付ける対応付け手段と、
前記対応付け手段により、映像データの解像度を変更する処理を前記クライアント端末において行うと対応付けられた場合に、前記変更指示で変更された前記ウインドウの大きさに表示されるように前記受信した映像データの解像度を変更する変更手段と、
前記対応付け手段により、映像データの解像度を変更する処理を前記サーバにおいて行うと対応付けられた場合に、前記変更指示で変更された前記ウインドウの大きさを示す表示サイズ情報を前記サーバに通知する通知手段と、
解像度が変更された映像データをウインドウに表示させる表示制御手段と
を有することを特徴とするクライアント端末。
【請求項６】
前記設定手段により、フレームレートよりも画質を優先する動作モードが設定された場合に、
前記対応付け手段は、前記ウインドウの大きさを拡大する変更指示に対して、映像データの解像度を変更する処理を前記サーバにおいて行い、前記ウインドウの大きさを縮小する変更指示に対して、映像データの解像度を変更する処理を前記クライアント端末において行うように対応付けることを特徴とする請求項５に記載のクライアント端末。
【請求項７】
前記設定手段により、画質よりもフレームレートを優先する動作モードが設定された場合に、
前記対応付け手段は、前記ウインドウの大きさを拡大する変更指示に対して、映像データの解像度を変更する処理を前記クライアント端末において行い、前記ウインドウの大きさを縮小する変更指示に対して、映像データの解像度を変更する処理を前記サーバにおいて行うように対応付けることを特徴とする請求項５に記載のクライアント端末。
【請求項８】
前記設定手段により、前記クライアント端末が受信した映像データを録画する動作モードが設定された場合に、前記対応付け手段は、映像データの解像度を変更する処理を前記サーバにおいて行い、
前記設定手段により、前記クライアント端末が受信した映像データを録画する動作が設定されていない場合に、前記対応付け手段は、映像データの解像度を変更する処理を前記クライアント端末において行うように対応付けることを特徴とする請求項５に記載のクライアント端末。
【請求項９】
前記設定手段により、前記動作モードとして、前記クライアント端末が省エネモードに設定された場合に、前記対応付け手段は、映像データの解像度を変更する処理を前記サーバにおいて行い、
前記設定手段により、前記動作モードとして、前記クライアント端末が省エネモードに設定されていない場合に、前記対応付け手段は、映像データの解像度を変更する処理を前記クライアント端末において行うように対応付けることを特徴とする請求項５に記載のクライアント端末。
【請求項１０】
サーバにより配信された映像データをウインドウに表示させるクライアント端末であって、
前記サーバから映像データを受信する受信手段と、
前記ウインドウの大きさの変更指示を受け付け、ウインドウの大きさを変更するウインドウサイズ変更手段と、
前記受信手段により受信した映像データのサイズ変更処理を、前記クライアント端末で行う余力の有無を判定する判定手段と、
前記判定手段により余力があると判定された場合に、前記変更指示で変更されたウインドウの大きさに表示されるように、前記受信した映像データのサイズ変更処理をする変更手段と、
前記判定手段により余力がないと判定された場合に、前記変更指示に応じて変更された前記ウインドウの大きさを示す前記表示サイズ情報を前記サーバに通知する通知手段と、
サイズ変更処理された映像データをウインドウに表示させる表示制御手段と
を有するクライアント端末。
【請求項１１】
前記通知手段は、前記クライアント端末が前記サーバの制御権を有している場合に、前記表示サイズ情報を前記サーバに通知することを特徴とする請求項１０に記載のクライアント端末。
【請求項１２】
前記判定手段は、前記ウインドウのサイズおよび前記受信手段により受信した映像データの解像度を用いて前記サイズ変更処理の負荷を算出し、該算出の結果を閾値と比較して閾値より小さい場合に、前記クライアント端末で前記サイズ変更処理を行う余力があると判定することを特徴とする請求項１０に記載のクライアント端末。
【請求項１３】
前記判定手段は、前記ウインドウサイズ変更手段によりウインドウの大きさを変更する前後でのフレームレートを比較し、該比較の結果、等しい場合に、前記クライアント端末で前記サイズ変更処理を行う余力があると判定することを特徴とする請求項１０に記載のクライアント端末。
【請求項１４】
前記サーバと前記クライアント端末の通信回線であり、第１の容量は第２の容量よりも大きい、前記第１または前記第２の容量を有する通信回線を設定する回線設定手段をさらに有し、
前記判定手段は、前記回線設定手段により前記第１の容量を有する通信回線が設定された場合、前記ウインドウの大きさを拡大する変更指示に対して、前記クライアント端末で前記サイズ変更処理を行う余力がないと判定し、
前記回線設定手段により前記第２の容量を有する通信回線が設定された場合、前記ウインドウの大きさを拡大する変更指示に対して、前記クライアント端末で前記サイズ変更処理を行う余力があると判定する、
ことを特徴とする請求項１０に記載のクライアント端末。
【請求項１５】
サーバにより配信された映像データをウインドウに表示させるクライアント端末の制御方法であって、
前記サーバから映像データを受信する受信工程と、
前記ウインドウの大きさの変更指示を受け付け、ウインドウの大きさを変更するウインドウサイズ変更工程と、
前記受信工程において受信した映像データのサイズ変更処理を、前記クライアント端末で行う余力の有無を判定する判定工程と、
前記判定工程において余力があると判定された場合に、前記変更指示で変更されたウインドウの大きさに表示されるように、前記受信した映像データのサイズ変更処理をする変更工程と、
前記判定工程において余力がないと判定された場合に、前記変更指示に応じて変更された前記ウインドウの大きさを示す前記表示サイズ情報を前記サーバに通知する通知工程と、
サイズ変更処理された映像データをウインドウに表示させる表示制御工程と
を有するクライアント端末の制御方法。
【請求項１６】
サーバにより配信された映像データをウインドウに表示させるクライアント端末の制御方法であって、
前記サーバから映像データを受信する受信工程と、
前記ウインドウの大きさの変更指示を受け付け、ウインドウの大きさを変更するウインドウサイズ変更工程と、
前記クライアント端末の動作モードを設定する設定工程と、
前記設定工程において設定された動作モードと、前記変更指示で変更された前記ウインドウの大きさに表示されるように映像データの解像度を変更する処理を前記クライアント端末において行うか前記サーバにおいて行うかとを対応付ける対応付け工程と、
前記対応付け工程において、映像データの解像度を変更する処理を前記クライアント端末において行うと対応付けられた場合に、前記変更指示で変更された前記ウインドウの大きさに表示されるように前記受信した映像データの解像度を変更する変更工程と、
前記対応付け工程において、映像データの解像度を変更する処理を前記サーバにおいて行うと対応付けられた場合に、前記変更指示で変更された前記ウインドウの大きさを示す表示サイズ情報を前記サーバに通知する通知工程と、
解像度が変更された映像データをウインドウに表示させる表示制御工程と
を有することを特徴とするクライアント端末の制御方法。
【手続補正２】
【補正対象書類名】明細書
【補正対象項目名】００１３
【補正方法】変更
【補正の内容】
【００１３】
上記目的を達成するために本発明の一態様に係る映像配信システムは、以下のような構成を備える。即ち、映像データを配信するサーバと、サーバにより配信された映像データをクライアント端末のウインドウに表示させる映像配信システムであって、
前記クライアント端末は、
前記サーバから映像データを受信する受信手段と、
前記ウインドウの大きさの変更指示を受け付け、ウインドウの大きさを変更するウインドウサイズ変更手段と、
前記受信手段により受信した映像データのサイズ変更処理を、前記クライアント端末で行う余力の有無を判定する判定手段と、
前記判定手段により余力があると判定された場合に、前記変更指示で変更されたウインドウの大きさに表示されるように、前記受信した映像データのサイズ変更処理をする第１の変更手段と、
前記判定手段により余力がないと判定された場合に、前記変更指示に応じて変更された前記ウインドウの大きさを示す前記表示サイズ情報を前記サーバに通知する通知手段と、
サイズ変更処理された映像データをウインドウに表示させる表示制御手段とを有し、
前記サーバは、
前記通知手段により通知された前記表示サイズ情報に基づいて、前記クライアント端末に配信する映像データのサイズ変更を行って前記クライアント端末に送信する第２の変更手段を有し、
前記表示制御手段は、前記第１の変更手段、もしくは、前記第２の変更手段によりサイズ変更が行われた映像データをウインドウに表示させることを特徴とする。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】